(57)【要約】【課題】給湯器をコントロールする遠隔操作装置の報知手段を利用して、緊急事態が発生している旨の報知が可能な給湯装置を提供すること。【解決手段】トイレ等に設けられた緊急呼出スイッチ５の操作信号を給湯器１の制御装置４に入力することにより、給湯器１をコントロールする有線式遠隔操作装置２、３に設けた報知手段２ａ、３ａから、トイレ等において緊急事態が発生していることを報知可能とすると同時に、事前に有線式遠隔操作装置の記憶装置２ｄに記憶させた電話番号へ通報を可能とする。【選択図】図１
2005172291.tif 000002
【特許請求の範囲】
【請求項１】
給湯器と、前記給湯器をコントロールする複数設置可能な有線式遠隔操作装置と、前記給湯機と有線で接続された緊急呼出スイッチとを備え、前記緊急呼出スイッチの操作に基づく報知を前記有線式遠隔操作装置の報知手段により行うと共に、事前に登録された電話番号へ通報することを特徴とする給湯装置。
【請求項２】
給湯器と、前記給湯器をコントロールする複数設置可能な無線式遠隔操作装置と、前記給湯機と有線で接続された緊急呼出スイッチを備え、前記緊急呼出スイッチの操作に基づく報知を前記無線式遠隔操作装置の報知手段により行うと共に事前に登録された電話番号へ通報することを特徴とする給湯装置。
【請求項３】
給湯器と、前記給湯器をコントロールする複数設置可能な有線式遠隔操作装置と、緊急呼出スイッチと、前記緊急呼出スイッチの信号を無線で送信する発信装置と、前記発信装置からの信号を受信するため前記給湯器に設けられた受信装置とを備え、前記緊急呼出スイッチの操作に基づく報知を前記有線式遠隔操作装置の報知手段により行うと共に事前に登録された電話番号へ通報することを特徴とする給湯装置。
【請求項４】
給湯器と、前記給湯器をコントロールする複数設置可能な無線式遠隔操作装置と、緊急呼出スイッチと、前記緊急呼出スイッチの信号を無線で送信する発信装置と、前記発信装置からの信号と前記無線式遠隔操作装置からの信号を受信するため前記給湯器に設けられた通信ユニットとを備え、前記緊急呼出スイッチの操作に基づく報知を前記無線式遠隔操作装置の報知手段により行うと共に事前に登録された電話番号へ通報することを特徴とする給湯装置。
【請求項５】
給湯器と、前記給湯器をコントロールする複数設置可能な有線式遠隔操作装置と、緊急呼出スイッチと、前記緊急呼出スイッチの信号を無線で送信する発信装置と、前記発信装置からの信号を受信するために有線式遠隔操作装置に設けられた受信装置とを備え、前記緊急呼出スイッチの操作に基づく報知を前記有線式遠隔操作装置の報知手段により行うと共に事前に登録された電話番号へ通報することを特徴とする給湯装置。
【発明の詳細な説明】
【技術分野】
【０００１】
本発明は、トイレ等に設けられた緊急呼出スイッチの操作信号を給湯器の制御装置に入力することにより、給湯器をコントロールする遠隔操作装置に設けた報知手段から、トイレ等において緊急事態が発生していることを報知可能とすると同時に、事前に遠隔操作装置に記憶させた電話番号へ通報を可能とした給湯装置に関するものである。
【背景技術】
【０００２】
従来、この種の給湯装置において、台所と浴室に設置された遠隔操作装置間で相互に会話ができるものであった（例えば、特許文献１参照）。
【０００３】
図６は、前記特許文献１に記載された従来の遠隔操作装置装置を示すものでり、給湯装置１１、台所リモコン１２、風呂リモコン１３、通話ボタン１４、１５、信号線１６から構成されている。
【０００４】
そして、台所リモコン１２、風呂リモコン１３に設けられた通話ボタン１４、１５で相互に会話ができるようになっている。
【特許文献１】特開２００２−３１４６９４号公報
【発明の開示】
【発明が解決しようとする課題】
【０００５】
しかしながら、前記従来の構成では、給湯装置１１と共に通話可能なリモコン１２、１３が浴室や台所に設置されていても、浴室や台所以外の場所、例えばトイレ等で体調が悪くなり家族の誰かを呼びたい時は、特別の緊急呼出装置が無ければ、体調が悪い中で、大声で誰かを呼ぶしか連絡をとる手段が無かった。
【０００６】
本発明は、前記従来の課題を解決するもので、給湯器をコントロールする遠隔操作装置の報知手段を利用して、緊急事態が発生している旨の報知をすることができる給湯装置を提供することを目的とする。
【課題を解決するための手段】
【０００７】
前記従来の課題を解決するために、本発明の給湯装置は、給湯器と、前記給湯器をコントロールする複数設置可能な有線式遠隔操作装置と、前記給湯機と有線で接続された緊急呼出スイッチとを備え、前記緊急呼出スイッチの操作に基づく報知を前記有線式遠隔操作装置の報知手段により行うと共に、事前に登録された電話番号へ通報するもので、トイレ等において緊急事態が発生していることを音声、あるいはメロディー等で報知するとともに事前に登録された電話番号へ通報を可能とし、安心して家族の誰かを呼び出すことが出来るものである。
【発明の効果】
【０００８】
本発明の給湯装置は、トイレ等に設けられた緊急呼出スイッチの操作信号を給湯器の制御装置、あるいは遠隔操作装置に入力することにより、給湯器をコントロールする遠隔操作装置に設けた報知手段から、トイレ等において緊急事態が発生していることを報知可能とすると同時に、事前に遠隔操作装置に記憶させた電話番号へ通報を可能とし、万一トイレ等の個室で体調が悪くなっても設置されている緊急呼出スイッチを操作することにより、安心して家族の誰かを呼び出すあるいは家族に電話連絡が出来る給湯装置を提供するものである。
【発明を実施するための最良の形態】
【０００９】
第１の発明は、給湯器と、前記給湯器をコントロールする複数設置可能な有線式遠隔操作装置と、前記給湯機と有線で接続された緊急呼出スイッチとを備え、前記緊急呼出スイッチの操作に基づく報知を前記有線式遠隔操作装置の報知手段により行うと共に、事前に登録された電話番号へ通報するもので、万一、トイレ等の個室で体調が悪くなっても設置されている緊急呼出スイッチを操作することにより、安心して家族の誰かを呼び出すことが出来るものである。我々の日常生活において給湯器は広く普及しており、これをコントロールする遠隔操作装置も一般的には、台所、浴室には設置されている。従って、本発明のように、トイレ等に設けた緊急呼出スイッチからの信号を給湯器、あるいは遠隔操作装置に入力することにより、この緊急呼出スイッチの操作時に、遠隔操作装置の報知手段から、緊急事態が発生している旨の報知をすると同時に、事前に登録された電話番号へ通報できる様にすることは、容易でコストも低減でき非常に有益な方法である。
【００１０】
第２の発明は、給湯器と、前記給湯器をコントロールする複数設置可能な無線式遠隔操作装置と、前記給湯機と有線で接続された緊急呼出スイッチを備え、前記緊急呼出スイッチの操作に基づく報知を前記無線式遠隔操作装置の報知手段により行うと共に事前に登録された電話番号へ通報するもので、万一、トイレ等の個室で体調が悪くなっても設置されている緊急呼出スイッチを操作することにより、安心して家族の誰かを呼び出すことが出来るものである。
【００１１】
第３の発明は、給湯器と、前記給湯器をコントロールする複数設置可能な有線式遠隔操作装置と、緊急呼出スイッチと、前記緊急呼出スイッチの信号を無線で送信する発信装置と、前記発信装置からの信号を受信するため前記給湯器に設けられた受信装置とを備え、前記緊急呼出スイッチの操作に基づく報知を前記有線式遠隔操作装置の報知手段により行うと共に事前に登録された電話番号へ通報することを可能とした給湯装置である。
【００１２】
第４の発明は、給湯器と、前記給湯器をコントロールする複数設置可能な無線式遠隔操作装置と、緊急呼出スイッチと、前記緊急呼出スイッチの信号を無線で送信する発信装置と、前記発信装置からの信号と前記無線式遠隔操作装置からの信号を受信するため前記給湯器に設けられた通信ユニットとを備え、前記緊急呼出スイッチの操作に基づく報知を前記無線式遠隔操作装置の報知手段により行うと共に事前に登録された電話番号へ通報することを可能とした給湯装置である。
【００１３】
第５の発明は、給湯器と、前記給湯器をコントロールする複数設置可能な有線式遠隔操作装置と、緊急呼出スイッチと、前記緊急呼出スイッチの信号を無線で送信する発信装置と、前記発信装置からの信号を受信するために有線式遠隔操作装置に設けられた受信装置とを備え、前記緊急呼出スイッチの操作に基づく報知を前記有線式遠隔操作装置の報知手段により行うと共に事前に登録された電話番号へ通報することを可能とした給湯装置である。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における給湯装置の構成図を示すものである。図１において、１は給湯器であり、２、３は給湯器１をコントロールする有線式遠隔操作装置、２ａ、３ａは有線式遠隔操作装置２、３に設けられた報知手段、２ｂは登録先の電話へ通報を選択する外部通報スイッチ、２ｄは通報先の電話番号の記憶装置、４は給湯装置１を制御する制御装置、４ａは有線式遠隔操作装置２、３からのコントロール信号を伝える信号線、５はトイレ等に設けられた緊急呼出スイッチ、４ｃは緊急呼出スイッチ５の操作信号を伝える信号線、４ｂは緊急呼出スイッチ５からの操作信号を制御装置４に接続する入力部である。
【００１６】
次に動作作用について説明する。
【００１７】
万一、トイレ等で体調が悪くなり家族の誰かを呼びたい時、トイレに設置された緊急呼出スイッチ５を押すことにより、信号線４ｃから制御装置４の入力部４ｂを経由して、制御装置４に緊急呼出スイッチ５の操作信号が信号線４ｃを経て入力される。制御装置４はその信号を受け、あらかじめ設定されているように有線式遠隔操作装置２、３に対し、トイレで緊急事態が発生している旨の報知を、報知手段２ａ、３ａから音声、あるいはメロディー等で報知させると同時に、外部通報スイッチ２ｂにより事前に記憶装置２ｄに記憶させた電話番号へ有線式遠隔操作装置２に設けられたダイヤルアップ装置２ｃから電話により家族の出先へ通報することができる。
【００１８】
従って、広く普及している給湯器を利用して、安心・安全の機能を提供する事が出来る。
【００１９】
（実施の形態２）
図２は、本発明の第２の実施の形態における給湯装置の構成図を示すものである。図２において、１は給湯器であり、９、１０は給湯器１をコントロールする無線式遠隔操作装置、２ｂは登録先の電話へ通報を選択する外部通報スイッチ、２ｄは通報先の電話番号の記憶装置、４は給湯装置を制御する制御装置、６ａは制御装置４からの制御信号と無線式遠隔操作装置９、１０からのコントロール信号を送受信する通信ユニットである。６ｂは通信ユニット６ａと制御装置４を接続する信号線、５はトイレ等に設けられた緊急呼出スイッチ、４ｃは緊急呼出スイッチ５の操作信号を伝える信号線、４ｂは緊急呼出スイッチ５からの操作信号を制御装置４に接続する入力部である。
【００２０】
次に動作作用について説明する。
【００２１】
万一、トイレ等で体調が悪くなり家族の誰かを呼びたい時、トイレに設置された緊急呼出スイッチ５を押すことにより、信号線４ｃから制御装置の入力部４ｂを経由して、制御装置４に緊急呼出スイッチ５の操作信号が信号線４ｃを経て入力される。制御装置４はその信号を受け、あらかじめ設定されているように無線式遠隔操作装置９、１０に対し、信号線６ｂを経由して通信ユニット６ａから無線手段でトイレで緊急事態が発生している旨の信号を発信させ、各無線式遠隔操作装置９、１０に備えた報知手段２ａ、３ａから音声、あるいはメロディー等で報知させると同時に、外部通報スイッチ２ｂにより事前に遠隔操作装置９の記憶装置２ｄに記憶させた電話番号へ遠隔操作装置９に設けられたダイヤルアップ装置２ｃから電話により家族の出先へ通報することができる。
【００２２】
（実施の形態３）
図３は、本発明の第３の実施の形態における給湯装置の構成図を示すものである。図３において、１は給湯器であり、２、３は給湯器１をコントロールする有線式遠隔操作装置、２ａ、３ａは有線式遠隔操作装置２、３に設けられた報知手段、２ｂは登録先の電話へ通報を選択する外部通報スイッチ、２ｄは通報先の電話番号の記憶装置、４は給湯装置を制御する制御装置、４ａは制御装置４からの制御信号と有線式遠隔操作装置２、３からのコントロール信号を伝える信号線、５はトイレ等に設けられた緊急呼出スイッチ、８は緊急呼出スイッチ５の操作信号を給湯器１に取付けられた受信装置７に発信するための送信装置である。７ａは受信装置７からの信号を制御装置４に設けてある入力部４ｂに接続する信号線である。
【００２３】
次に動作作用について説明する。
【００２４】
万一、トイレ等で体調が悪くなり家族の誰かを呼びたい時、トイレに設置された緊急呼出スイッチ５を押すことにより、送信装置８から給湯器１に取付けられた受信装置７に発信し、信号線７ａ、入力部４ｂを経由して制御装置４に入力され、制御装置４は、信号線４ａを経由して有線式遠隔操作装置２、３に対し、トイレで緊急事態が発生している旨の信号を送信し、有線式遠隔操作装置２、３に備えた報知手段２ａ、３ａから音声、あるいはメロディー等で報知させると同時に、外部通報スイッチ２ｂにより事前に遠隔操作装置２の記憶装置２ｄに記憶させた電話番号へ有線式遠隔操作装置２に設けられたダイヤルアップ装置２ｃから電話により家族の出先へ通報することができる。
【００２５】
（実施の形態４）
図４は、本発明の第４の実施の形態における給湯装置の構成図を示すものである。図４において、１は給湯器であり、９、１０は給湯器１をコントロールする無線式遠隔操作装置、２ｂは登録先の電話へ通報を選択する外部通報スイッチ、２ｄは通報先の電話番号の記憶装置、４は給湯装置を制御する制御装置、６ａは制御装置４からの制御信号と無線式遠隔操作装置９、１０からのコントロール信号とトイレに設けられた送信装置８からの操作信号を送受信する通信ユニットである。６ｂは通信ユニット６ａと制御装置４とを接続する信号線、５はトイレ等に設けられた緊急呼出スイッチ、８は緊急呼出スイッチ５の操作信号を給湯器１に取付けられた通信ユニット６ａに発信するための送信装置である。
【００２６】
次に動作作用について説明する。
【００２７】
万一、トイレ等で体調が悪くなり家族の誰かを呼びたい時、トイレに設置された緊急呼出スイッチ５を押すと送信装置８から給湯器１に取付けられた通信ユニット６ａに、緊急呼出スイッチ５が操作されたという操作信号が発信される。通信ユニット６ａからの操作信号は、信号線６ｂを経由して制御装置４に入力される。制御装置４はその信号を受け、あらかじめ設定されているように無線式遠隔操作装置９、１０に対し、信号線６ｂを経由して通信ユニット６ａから無線手段でトイレで緊急事態が発生している旨の信号を発信させ、各無線式遠隔操作装置９、１０に備えた報知手段２ａ、３ａから音声、あるいはメロディー等で報知させると同時に、外部通報スイッチ２ｂにより事前に無線式遠隔操作装置９の記憶装置２ｄに記憶させた電話番号へ無線式遠隔操作装置９に設けられたダイヤルアップ装置２ｃから電話により家族の出先へ通報することができる。
【００２８】
（実施の形態５）
図５は、本発明の第５の実施の形態における給湯装置の構成図を示すものである。図５において、１は給湯器であり、２、３は給湯器１をコントロールする有線式遠隔操作装置、２ａ、３ａは有線式遠隔操作装置２、３に設けられた報知手段、２ｂは登録先の電話へ通報を選択する外部通報スイッチ、２ｄは通報先の電話番号の記憶装置、４は給湯装置を制御する制御装置、４ａは制御装置４からの制御信号と有線式遠隔操作装置２、３からのコントロール信号を伝える信号線、５はトイレ等に設けられた緊急呼出スイッチ、８は緊急呼出スイッチ５の操作信号を有線式遠隔操作装置２設けられた受信装置７に発信するための送信装置である。
【００２９】
次に動作作用について説明する。
【００３０】
万一、トイレ等で体調が悪くなり家族の誰かを呼びたい時、トイレに設置された緊急呼出スイッチ５を押すことにより、送信装置８から有線式遠隔操作装置２に設けられた受信装置７に発信し、信号線４ａを経由して有線式遠隔操作装置２、３に対し、トイレで緊急事態が発生している旨の信号を送信し、有線式遠隔操作装置２、３に備えた報知手段２ａ、３ａから音声、あるいはメロディー等で報知させると同時に、外部通報スイッチ２ｂにより事前に有線式遠隔操作装置２の記憶装置２ｄに記憶させた電話番号へ有線式遠隔操作装置２に設けられたダイヤルアップ装置２ｃから電話により家族の出先へ通報することができる。
【産業上の利用可能性】
【００３１】
以上のように、本発明にかかる給湯装置よれば、我々の日常生活において普及している給湯器と、給湯器をコントロールする遠隔操作装置（一般的には、台所、浴室には設置されている。）を利用して緊急呼出スイッチが操作された場合、前記遠隔操作装置の報知手段から音声、あるいはメロディー等で報知すると同時に、遠隔操作装置に設けた外部通報スイッチの選択により、事前に遠隔操作装置内の記憶装置に記憶させた電話番号へダイヤルアップ装置から電話により家族の出先へ通報することができる。
【図面の簡単な説明】
【００３２】
【図１】本発明の実施の形態１の給湯装置の構成図
【図２】本発明の実施の形態２の給湯装置の構成図
【図３】本発明の実施の形態３の給湯装置の構成図
【図４】本発明の実施の形態４の給湯装置の構成図
【図５】本発明の実施の形態５の給湯装置の構成図
【図６】従来の給湯装置の構成図
【符号の説明】
【００３３】
１  給湯器
２、３  有線式遠隔操作装置
２ａ、３ａ  報知手段
５  緊急呼出スイッチ
６ａ  通信ユニット
７  受信装置
８  送信装置
９、１０  無線式遠隔操作装置
【図１】
2005172291.tif 000003
【図２】
2005172291.tif 000004
【図３】
2005172291.tif 000005
【図４】
2005172291.tif 000006
【図５】
2005172291.tif 000007
【図６】
2005172291.tif 000008